【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
アリールが少なくとも炭素数５の芳香族基である、５−アリール−２−ノルボルネンの単独重合体において、前記単独重合体が（ａ）５０〜１５０℃の範囲の軟化点、（ｂ）１２０〜１０００の範囲の数平均分子量（Ｍn）、（ｃ）１５０〜２０００の範囲の重量平均分子量（Ｍw）、（ｄ）１５０〜４０００の範囲のＺ平均分子量（Ｍz）及び（ｅ）水素合計量に対し８〜４０％の範囲のレベルの芳香族水素を有することを特徴とする単独重合体。
【請求項２】
芳香族基がフェニル、置換フェニル、インデニル、置換インデニル、ナフチル及び置換ナフチルからなる群から選ばれる請求項１に記載の単独重合体。
【請求項３】
芳香族基がフェニル及び置換フェニルからなる群から選ばれる請求項２に記載の単独重合体。
【請求項４】
芳香族基がフェニルである請求項３に記載の単独重合体。
【請求項５】
５−アリール−２−ノルボルネン及び少なくとも１種又はそれ以上の他の環式もしくは非環式アルケンを含む共重合体であって、５−アリール−２−ノルボルネンのアリールが少なくとも炭素数５の芳香族基であり、アルケンが炭素数３〜２０であり、且つ前記共重合体が（ａ）５０〜約１５０℃の範囲の軟化点、（ｂ）１２０〜１０００の範囲の数平均分子量（Ｍn）、（ｃ）１５０〜２０００の範囲の重量平均分子量（Ｍw）、（ｄ）１５０〜４０００の範囲のＺ平均分子量（Ｍz）及び（ｅ）水素合計量に対して８〜４０％の範囲のレベルの芳香族水素を有することを特徴とする共重合体。
【請求項６】
芳香族基がフェニル、置換フェニル、インデニル、置換インデニル、ナフチル及び置換ナフチルからなる群から選ばれる請求項５に記載の共重合体。
【請求項７】
芳香族基がフェニル及び置換フェニルからなる群から選ばれる請求項６に記載の共重合体。
【請求項８】
芳香族基がフェニルである請求項７に記載の共重合体。
【請求項９】
少なくとも１種又はそれ以上の環式もしくは非環式アルケンがシクロペンテン、ジシクロペンタジエン、１，５−ジシクロオクタジエン、３ａ，４，７，７ａ−テトラヒドロ−４，７−メタノインダン、５，６−ジヒドロジシクロペンタジエン、ペンテン類、ピペリレン、スチレン、α−メチルスチレン、インデン及びビニルトルエンからなる群から選ばれる請求項５に記載の共重合体。
【請求項１０】
アリールがフェニルであり且つアルケンがスチレン及び３ａ，４，７，７ａ−テトラヒドロ−４，７−メタノインダンである請求項５に記載の共重合体。
【請求項１１】
アリールが少なくとも炭素数５の芳香族基である５−アリール−２−ノルボルネンの単独重合体の製造方法において、前記単独重合体が（ａ）５０〜１５０℃の範囲の軟化点、（ｂ）１２０〜１０００の範囲の数平均分子量（Ｍn）、（ｃ）１５０〜２０００の範囲の重量平均分子量（Ｍw）、（ｄ）１５０〜４０００の範囲のＺ平均分子量（Ｍz）及び（ｅ）水素合計量に対して８〜４０％の範囲のレベルの芳香族水素を有することを特徴とし、前記方法がフリーデル・クラフツ触媒の存在下に、アリールが少なくとも炭素数５の芳香族基である５−アリール−２−ノルボルネンを重合条件下で重合することを含んでなる製造方法。
【請求項１２】
芳香族基がフェニル及び置換フェニルからなる群から選ばれる請求項１１に記載の方法。
【請求項１３】
フリーデル・クラフツ触媒が金属ハロゲン化物、ハロゲン化ホウ素及び強酸からなる群から選ばれる請求項１１に記載の方法。
【請求項１４】
金属ハロゲン化物が三塩化アルミニウムであり且つハロゲン化ホウ素が三フッ化ホウ素である請求項１３に記載の方法。
【請求項１５】
５−アリール−２−ノルボルネン及び少なくとも１種又はそれ以上の他の環式もしくは非環式アルケンを含む共重合体の製造方法であって、５−アリール−２−ノルボルネンのアリールが少なくとも炭素数５の芳香族基であり、アルケンの炭素数が３〜２０であり、且つ前記共重合体が（ａ）５０〜約１５０℃の範囲の軟化点、（ｂ）１２０〜１０００の範囲の数平均分子量（Ｍn）、（ｃ）１５０〜２０００の範囲の重量平均分子量（Ｍw）、（ｄ）１５０〜４０００の範囲のＺ平均分子量（Ｍz）及び（ｅ）水素合計量に対して８〜４０％の範囲のレベルの芳香族水素を有することを特徴とし、前記方法が、フリーデル・クラフツ触媒の存在下に、５−アリール−２−ノルボルネンのアリールが少なくとも炭素数５の芳香族基である５−アリール−２−ノルボルネン及び炭素数３〜２０の少なくとも１種又はそれ以上の環式もしくは非環式アルケンを重合条件下で重合することを含んでなる方法。
【請求項１６】
芳香族基がフェニル及び置換フェニルからなる群から選ばれる請求項１５に記載の方法。
【請求項１７】
フリーデル・クラフツ触媒が、金属ハロゲン化物、ハロゲン化ホウ素及び強酸からなる群から選ばれる請求項１５に記載の方法。
【請求項１８】
金属ハロゲン化物が三塩化アルミニウムであり且つハロゲン化ホウ素が三フッ化ホウ素である請求項１７に記載の方法。
【請求項１９】
少なくとも１種又はそれ以上の環式もしくは非環式アルケンがシクロペンテン、ジシクロペンタジエン、１，５−ジシクロオクタジエン、３ａ，４，７，７ａ−テトラヒドロ−４，７−メタノインダン、５，６−ジヒドロジシクロペンタジエン、ペンテン類、ピペリレン、スチレン、α−メチルスチレン、インデン及びビニルトルエンからなる群から選ばれる請求項１５に記載の方法。
【請求項２０】
アリールがフェニルであり、且つアルケンがスチレン及び３ａ，４，７，７ａ−テトラヒドロ−４，７−メタノインダンである請求項１９に記載の方法。
【請求項２１】
アリールが少なくとも炭素数５の芳香族基である５−アリール−２−ノルボルネンの水素化単独重合体において、前記水素化単独重合体が（ａ）５０〜１５０℃の範囲の軟化点、（ｂ）１２０〜１０００の範囲の数平均分子量（Ｍn）、（ｃ）１５０〜２０００の範囲の重量平均分子量（Ｍw）、（ｄ）１５０〜４０００の範囲のＺ平均分子量（Ｍz）及び（ｅ）水素合計量に対し８〜４０％の範囲のレベルの芳香族水素を有することを特徴とする水素化単独重合体。
【請求項２２】
芳香族基がフェニル、置換フェニル、インデニル、置換インデニル、ナフチル及び置換ナフチルからなる群から選ばれる請求項２１に記載の水素化単独重合体。
【請求項２３】
芳香族基がフェニル及び置換フェニルからなる群から選ばれる請求項２２に記載の水素化単独重合体。
【請求項２４】
芳香族基がフェニルである請求項２３に記載の水素化単独重合体。
【請求項２５】
５−アリール−２−ノルボルネン及び少なくとも１種又はそれ以上の他の環式もしくは非環式アルケンを含む水素化共重合体であって、５−アリール−２−ノルボルネンのアリールが少なくとも炭素数５の芳香族基であり、アルケンが炭素数３〜２０を有し、且つ前記水素化共重合体が（ａ）５０〜１５０℃の範囲の軟化点、（ｂ）１２０〜１０００の範囲の数平均分子量（Ｍn）、（ｃ）１５０〜２０００の範囲の重量平均分子量（Ｍw）、（ｄ）１５０〜４０００の範囲のＺ平均分子量（Ｍz）及び（ｅ）水素合計量に対して８〜４０％の範囲のレベルの芳香族水素を有することを特徴とする水素化共重合体。
【請求項２６】
芳香族基がフェニル、置換フェニル、インデニル、置換インデニル、ナフチル及び置換ナフチルからなる群から選ばれる請求項２５に記載の水素化共重合体。
【請求項２７】
芳香族基がフェニル及び置換フェニルからなる群から選ばれる請求項２６に記載の水素化共重合体。
【請求項２８】
少なくとも１種又はそれ以上の環式もしくは非環式アルケンがシクロペンテン、ジシクロペンタジエン、１，５−ジシクロオクタジエン、３ａ，４，７，７ａ−テトラヒドロ−４，７−メタノインダン、５，６−ジヒドロジシクロペンタジエン、ペンテン類、ピペリレン、スチレン、α−メチルスチレン、インデン及びビニルトルエンからなる群から選ばれる請求項２５に記載の水素化共重合体。
【請求項２９】
アリールがフェニルであり且つアルケンがスチレン及び３ａ，４，７，７ａ−テトラヒドロ−４，７−メタノインダンである請求項２５に記載の水素化共重合体。
【請求項３０】
アリールが少なくとも炭素数５の芳香族基である５−アリール−２−ノルボルネンの単独重合体を含んでなる粘着付与剤組成物において、前記単独重合体が（ａ）５０〜１５０℃の範囲の軟化点、（ｂ）１２０〜１０００の範囲の数平均分子量（Ｍn）、（ｃ）１５０〜２０００の範囲の重量平均分子量（Ｍw）、（ｄ）１５０〜４０００の範囲のＺ平均分子量（Ｍz）及び（ｅ）水素合計量に対し８〜４０％の範囲のレベルの芳香族水素を有することを特徴とする粘着付与剤組成物。
【請求項３１】
単独重合体の芳香族基がフェニル、置換フェニル、インデニル、置換インデニル、ナフチル及び置換ナフチルからなる群から選ばれる請求項３０に記載の粘着付与剤組成物。
【請求項３２】
芳香族基が、フェニル及び置換フェニルからなる群から選ばれる請求項３１に記載の粘着付与剤組成物。
【請求項３３】
５−アリール−２−ノルボルネン及び少なくとも１種又はそれ以上の他の環式もしくは非環式アルケンを含む共重合体を含んでなる粘着付与剤組成物であって、５−アリール−２−ノルボルネンのアリールが少なくとも炭素数５の芳香族基であり、アルケンが炭素数３〜２０であり、且つ前記共重合体が（ａ）５０〜１５０℃の範囲の軟化点、（ｂ）１２０〜１０００の範囲の数平均分子量（Ｍn）、（ｃ）１５０〜２０００の範囲の重量平均分子量（Ｍw）、（ｄ）１５０〜４０００の範囲のＺ平均分子量（Ｍz）及び（ｅ）水素合計量に対して８〜４０％の範囲のレベルの芳香族水素を有することを特徴とする粘着付与剤組成物。
【請求項３４】
共重合体の芳香族基がフェニル、置換フェニル、インデニル、置換インデニル、ナフチル及び置換ナフチルからなる群から選ばれる請求項３３に記載の粘着付与剤組成物。
【請求項３５】
芳香族基がフェニル及び置換フェニルからなる群から選ばれる請求項３４に記載の粘着付与剤組成物。
【請求項３６】
共重合体の少なくとも１種又はそれ以上の環式もしくは非環式アルケンがシクロペンテン、ジシクロペンタジエン、１，５−ジシクロオクタジエン、３ａ，４，７，７ａ−テトラヒドロ−４，７−メタノインダン、５，６−ジヒドロジシクロペンタジエン、ペンテン類、ピペリレン、スチレン、α−メチルスチレン、インデン及びビニルトルエンからなる群から選ばれる請求項３３に記載の粘着付与剤組成物。
【請求項３７】
アリールがフェニルであり且つアルケンがスチレン及び３ａ，４，７，７ａ−テトラヒドロ−４，７−メタノインダンである請求項３３に記載の粘着付与剤組成物。